(57)【要約】【課題】複数本の導電路を位置決めして保持できるようにする。【解決手段】ノイズフィルタＦは、電線４１，４２，４３（導電路）を挿通させる挿通孔２２が形成されたフェライトコア２０と、挿通孔２２内に収容されたホルダ３０と、ホルダ３０に形成され、電線４１，４２，４３を径方向外方への移動を規制した状態に保持する複数の保持溝３１，３２とを備えている。複数の保持溝３１，３２により、複数本の電線４１，４２，４３を個別に位置決めして保持することができる。また、複数本の電線４１，４２，４３を別々の保持溝３１，３２に保持することで、電線４１，４２，４３相互間におけるノイズの影響が低減される。【選択図】図１
2016201728.tif 000002
【特許請求の範囲】
【請求項１】
導電路を挿通させる挿通孔が形成されたフェライトコアと、
前記挿通孔内に収容されたホルダと、
前記ホルダに形成され、前記導電路を径方向外方への移動を規制した状態に保持する複数の保持溝とを備えていることを特徴とするノイズフィルタ。
【請求項２】
前記複数の保持溝が、前記ホルダの外周面に開口し、且つ周方向に間隔を空けて形成されていることを特徴とする請求項１記載のノイズフィルタ。
【請求項３】
前記保持溝の周方向の幅寸法が、前記ホルダの外周側から中心側に向かって狭くなっていることを特徴とする請求項２記載のノイズフィルタ。
【請求項４】
前記保持溝の内面には、前記導電路を径方向への移動規制状態に係止させる凹部が形成されていることを特徴とする請求項２又は請求項３記載のノイズフィルタ。
【請求項５】
前記複数の保持溝は、径の異なる少なくとも２種類の前記導電路を保持可能であることを特徴とする請求項１ないし請求項４のいずれか１項記載のノイズフィルタ。
【請求項６】
フェライトコアに形成された挿通孔内に収容されることでノイズフィルタを構成するノイズフィルタ用ホルダであって、
導電路を径方向外方への移動を規制した状態に保持する複数の保持溝を備えていることを特徴とするノイズフィルタ用ホルダ。
【発明の詳細な説明】
【技術分野】
【０００１】
本発明は、ノイズフィルタ及びノイズフィルタ用ホルダに関する。
【背景技術】
【０００２】
特許文献１には、外径の異なる複数種類の導電路を、フェライトコアの内部に安定して保持することのできるノイズフィルタが開示されている。フェライトコアは第１と第２の分割ケース内に収容され、第１分割ケースには、導電路を径方向に挟持する一対の弾性変形可能な挟持部が形成され、第２分割ケースには、一対の挟持部を接近させる方向に押圧する押圧部が形成されている。一対の挟持部は、導電路の外径に応じて弾性変形することにより、導電路を安定して保持することができる。
【先行技術文献】
【特許文献】
【０００３】
【特許文献１】特許第５５２６００７号公報
【発明の概要】
【発明が解決しようとする課題】
【０００４】
上記のノイズフィルタは、外径の異なる複数種類の導電路を選択的に１本ずつ保持することはできるが、複数本の導電路を位置決めして保持することはできない。
【０００５】
本発明は上記のような事情に基づいて完成されたものであって、複数本の導電路を位置決めして保持できるようにすることを目的とする。
【課題を解決するための手段】
【０００６】
第１の発明のノイズフィルタは、
導電路を挿通させる挿通孔が形成されたフェライトコアと、
前記挿通孔内に収容されたホルダと、
前記ホルダに形成され、前記導電路を径方向外方への移動を規制した状態に保持する複数の保持溝とを備えているところに特徴を有する。
【０００７】
第２の発明のノイズフィルタ用ホルダは、
フェライトコアに形成された挿通孔内に収容されることでノイズフィルタを構成するものであって、
導電路を径方向外方への移動を規制した状態に保持する複数の保持溝を備えているところに特徴を有する。
【発明の効果】
【０００８】
複数の保持溝により、複数本の導電路を個別に位置決めして保持することができる。また、複数本の導電路を別々の保持溝に保持することで、導電路相互間におけるノイズの影響が低減される。
【図面の簡単な説明】
【０００９】
【図１】実施例１のノイズフィルタの断面図
【図２】図１のＸ−Ｘ線断面図
【図３】ホルダの正面図
【発明を実施するための形態】
【００１０】
（ａ）第１の発明のノイズフィルタは、前記複数の保持溝が、前記ホルダの外周面に開口し、且つ周方向に間隔を空けて形成されていてもよい。この構成によれば、保持溝に導電路を保持する作業が容易である。
【００１１】
（ｂ）第１の発明のノイズフィルタは、（ａ）において、前記保持溝の周方向の幅寸法が、前記ホルダの外周側から中心側に向かって狭くなっていてもよい。この構成によれば、１つの保持溝に、外径寸法の異なる複数本の導電路を保持することができる。
【００１２】
（ｃ）第１の発明のノイズフィルタは、（ａ）又は（ｂ）において、前記保持溝の内面には、前記導電路を径方向への移動規制状態に係止させる凹部が形成されていてもよい。この構成によれば、導電路を保持溝内に確実に位置決めすることができる。
（ｄ）第１の発明のノイズフィルタは、前記複数の保持溝は、径の異なる少なくとも２種類の前記導電路を保持可能であってもよい。この構成によれば、径の異なる少なくとも２種類の導電路を位置決めして保持することができる。
【００１３】
＜実施例１＞
以下、本発明を具体化した実施例１を図１〜図３を参照して説明する。本実施例のノイズフィルタＦは、ワイヤーハーネスＷに対し包囲するように取り付けられ、ワイヤーハーネスＷを構成する複数本の電線４１，４２，４３の電磁ノイズを低減又は除去する。ワイヤーハーネスＷは、２本の大径電線４１（請求項記載の導電路）と、２本の小径電線４２（請求項記載の導電路）と、２本の細径電線４３（請求項に記載の導電路）とから構成されている。各電線４１，４２，４３は、導体を絶縁被覆で包囲した周知の被覆電線である。各電線４１，４２，４３の軸線と直角に切断した断面形状は、いずれも、円形である。この３種類の電線４１，４２，４３の外径は、大径電線４１が最も大きく、細径電線４３が最も小さい。
【００１４】
ノイズフィルタＦは、フィルタケース１０と、フェライトコア２０と、ホルダ３０（請求項記載のノイズフィルタＦ用ホルダ）とを備えて構成されている。フィルタケース１０は、半円弧形をなす一対のケース構成体１１をヒンジ１２で連結した単一部品である。ノイズフィルタＦは、ヒンジ１２を変形させて一対のケース構成体１１を合体させることにより、円筒形に構成されている。また、合体させた両ケース構成体１１は、一方のケース構成体１１に形成した係止突起１３と、他方のケース構成体１１に形成した弾性係止片１４との係止により、合体状態に保持される。フィルタケース１０の軸線方向における両端部には、径方向中心側に向かって同心円弧状に張り出した形態のストッパ１５が、一対形成されている。
【００１５】
フェライトコア２０は、半円弧形をなす一対のコア構成体２１を合体させて構成されている。各コア構成体２１は、夫々、ケース構成体１１内に収容されている。ケース構成体１１を合体させると、一対のコア構成体２１が合体し、フィルタケース１０内では、貫通形態の円筒形をなすフェライトコア２０がフィルタケース１０と同軸状に構成される。フェライトコア２０の中心孔は、上記複数本の電線４１，４２，４３を挿通させるための挿通孔２２となっている。挿通孔２２の軸線と直角に切断した断面形状は、円形である。
【００１６】
フェライトコア２０の外径はフィルタケース１０の内径と同じ寸法なので、フェライトコア２０がフィルタケース１０内で径方向にガタ付き（相対変位）を生じることはない。また、フェライトコア２０は、コア構成体２１同士が密着した状態に保持される。また、フェライトコア２０（挿通孔２２）の内径は、ストッパ１５の内径よりも少し大きい。そして、フェライトコア２０の軸線方向の寸法は、一対のストッパ１５の間隔と同じ寸法である。したがって、フィルタケース１０の内部では、フェライトコア２０が、一対のストッパ１５の間で軸線方向にガタ付き（相対変位）を生じないように挟まれた状態に保持される。
【００１７】
ホルダ３０は、合成樹脂製の単一部品であり、全体としてフィルタケース１０及びフェライトコア２０と同軸状の円柱形をなす。ホルダ３０は、フェライトコア２０の挿通孔２２内に収容されている。ホルダ３０の外径は、挿通孔２２（フェライトコア２０）の内径と同じ寸法なので、ホルダ３０が挿通孔２２内で径方向にガタ付き（相対変位）を生じることはない。また、ホルダ３０の外径は、ストッパ１５の内径よりも少し大きい寸法である。そして、ホルダ３０の軸線方向の寸法は、フェライトコア２０と同じく、一対のストッパ１５の間隔と同じ寸法である。したがって、フィルタケース１０の内部では、ホルダ３０が、一対のストッパ１５の間で軸線方向にガタ付き（相対変位）を生じないように挟まれた状態に保持される。
【００１８】
ホルダ３０には、４つの大径用保持溝３１（請求項に記載の保持溝）と４つの小細径用保持溝３２（請求項に記載の保持溝）が形成されている。各保持溝３１，３２は、ホルダ３０の外周面から中心（ホルダ３０の軸線）に向かって切欠した形態であり、ホルダ３０の軸線方向における両端面に開放されている。この２種類の保持溝３１，３２は、大径用保持溝３１と小細径用保持溝３２が周方向に交互に並ぶように配されている。各保持溝３１，３２は、夫々、他の保持溝３１，３２とは非連通の独立形態である。つまり、各ホルダ３０の外周面における各保持溝３１，３２の開口領域は、他の保持溝３１，３２の開口領域とは別々となっている。
【００１９】
また、ホルダ３０のうち、周方向の隣り合う保持溝３１，３２の間の領域は、ホルダ３０の軸心部３３から径方向外方へ片持ち状に延出した形態の板状延出部３４となっている。保持溝３１，３２の数は８つであるが、板状延出部３４の数も８つである。各板状延出部３４は、軸心部３３を略支点として周方向へ弾性撓みし得るようになっている。板状延出部３４を周方向に弾性撓みさせることにより、保持溝３１，３２の周方向の間隔が、広くなったり狭くなったりするように変化する。
【００２０】
大径用保持溝３１は、いずれも、周方向に間隔を空けて対向する一対の内面を有している。そして、対をなす内面の周方向の間隔は、ホルダ３０の外周側から中心（軸心）側に向かって次第に狭くなっている。そして、大径用保持溝３１の対をなす内面には、円弧面からなる一対の大径用凹部３５（請求項に記載の凹部）が周方向に対向するように形成されている。この大径用凹部３５の円弧の曲率は、大径電線４１の外周面とほぼ同じ曲率である。
【００２１】
小細径用保持溝３２は、いずれも、周方向に間隔を空けて対向する一対の内面を有している。そして、対をなす内面の周方向の間隔は、ホルダ３０の外周側から中心（軸心）側に向かって次第に狭くなっている。そして、小細径用保持溝３２の対をなす内面には、円弧面からなる一対の小径用凹部３６（請求項に記載の凹部）が、周方向に対向するように形成されている。この小径用凹部３６の円弧の曲率は、小径電線４２の外周面とほぼ同じ曲率である。同じく、小細径用保持溝３２の対をなす内面には、一対の細径用凹部３７（請求項に記載の凹部）が周方向に対向するように形成されている。この細径用凹部３７の円弧の曲率は、細径電線４３の外周面とほぼ同じ曲率である。細径用凹部３７は、小径用凹部３６よりも細径用の軸心側に配置されている。
【００２２】
次に、ノイズフィルタＦの使用形態の一例を説明する。ワイヤーハーネスＷにノイズフィルタＦを取り付ける際には、まず、ホルダ３０をフェライトコア２０の挿通孔２２に収容する前の状態で、各保持溝３１，３２に、夫々、電線４１，４２，４３を収容する。このとき、電線４１，４２，４３は、軸線をホルダ３０と平行に向けたまま、ホルダ３０の外周面における開口部から保持溝３１，３２内に平行移動させるように押し込んでいく。
【００２３】
大径用保持溝３１には大径電線４１のみが収容される。図１に示すように、大径電線４１は２本であるから、４つの大径用保持溝３１のうち２つの大径用保持溝３１に、夫々、大径電線４１を１本ずつ収容する。大径用保持溝３１に収容した大径電線４１は、一対の大径用凹部３５に嵌合されることにより、ホルダ３０に対する径方向への相対移動を規制された状態に保持される。このとき、大径電線４１の絶縁被覆の外周部を変形させるか、大径用保持溝３１の周方向の間隔が拡がるように板状延出部３４を周方向に弾性撓みさせればよい。
【００２４】
また、小細径用保持溝３２には、小径電線４２と細径電線４３のいずれか一方又は両方が収容されるが、大径電線４１は収容できない。小径用電線と細径電線４３は、夫々、２本ずつであるが、４つの小細径用保持溝３２のうち１つの小細径用保持溝３２には、１本の小径電線４２と１本の細径電線４３が収容される。別の小細径用保持溝３２には、１本の小径電線４２が収容される。更に別の小細径用保持溝３２には、１本の細径電線４３が収容される。
【００２５】
小細径用保持溝３２に収容された小径電線４２は、一対の小径用凹部３６に嵌合されることにより、ホルダ３０に対する径方向への相対移動を規制された状態に保持される。また、小細径用保持溝３２に収容された細径電線４３は、一対の細径用凹部３７に嵌合されることにより、ホルダ３０に対する径方向への相対移動を規制された状態に保持される。１つの小細径用保持溝３２に収容されて凹部３６，３７により位置決めされた小径電線４２と細径電線４３は、径方向に間隔を空けて配置されるので、両電線４２，４３の間でノイズの影響を及ぼし合う虞はない。
【００２６】
また、小径電線４２を小径用凹部３６に嵌合するときや、細径電線４３を細径用凹部３７に嵌合するときには、小径電線４２と細径電線４３の絶縁被覆の外周部を変形させるか、小細径用保持溝３２の周方向の間隔が拡がるように板状延出部３４を周方向に弾性撓みさせればよい。
【００２７】
上述のように本実施例のノイズフィルタＦは、径の異なる電線４１，４２，４３を挿通させる挿通孔２２が形成されたフェライトコア２０と、挿通孔２２内に収容されたホルダ３０とを備える。ホルダ３０には、電線４１，４２，４３を径方向外方への移動を規制した状態に保持する複数の保持溝３１，３２が形成されている。ホルダ３０に形成した複数の保持溝３１，３２により、径の異なる複数本の電線４１，４２，４３を個別に位置決めして保持することができる。
【００２８】
また、複数本の電線４１，４２，４３を、周方向に間隔を空けた別々の保持溝３１，３２に保持するようになっている。これにより、異なる保持溝３１，３２に収容された電線４１，４２，４３も、周方向に離れた配置となっている。したがって、異なる保持溝３１，３２に収容された電線４１，４２，４３相互間におけるノイズの影響が低減される。
【００２９】
また、複数の保持溝３１，３２は、ホルダ３０の外周面に開口し、且つ周方向に間隔を開けて形成されているので、保持溝３１，３２に電線４１，４２，４３を保持する作業が容易である。また、小細径用保持溝３２の周方向の幅寸法は、ホルダ３０の外周側から中心側に向かって狭くなっているので、１つの小細径用保持溝３２に、外径寸法の異なる複数本の電線（小径電線４２と細径電線４３）を保持することができる。また、保持溝３１，３２の内面には、電線４１，４２，４３を径方向への移動規制状態に係止させる凹部３５，３６，３７が形成されているので、電線４１，４２，４３を保持溝３１，３２内に確実に位置決めすることができる。
【００３０】
＜他の実施例＞
本発明は上記記述及び図面によって説明した実施例に限定されるものではなく、例えば次のような実施例も本発明の技術的範囲に含まれる。
（１）上記実施例では、各保持溝が、他の保持溝とは非連通の独立形態となっているが、例えば、ホルダの外周面に開口する共通の挿入口から複数の保持溝が分岐していてもよい。
（２）上記実施例では、保持溝の周方向の幅寸法が、ホルダの外周側から中心側に向かって狭くなっているが、保持溝の幅寸法は、径方向の全領域においてほぼ一定であってもよい。
（３）上記実施例では、２種類の保持溝をホルダに形成したが、保持溝の種類は１種類だけでもよく、３種類以上でもよい。
（４）上記実施例では、同数ずつ設けた２種類の保持溝を周方向に交互に配置したが、この同数ずつの２種類の保持溝は、交互配置以外の形態で周方向に並ぶように配置してもよい。
（５）上記実施例では、ホルダに８つの保持溝を形成したが、ホルダに形成する保持溝の数は、７つ以下でもよく、９つ以上でもよい。
（６）上記実施例では、１つの保持溝に形成する凹部を一対又は二対としたが、１つの保持溝に形成する凹部の数は、三対以上であってもよい。
（７）上記実施例では、凹部を円弧形としたが、凹部の形状は、三角形や台形等であってもよい。
（８）上記実施例では、凹部が、保持溝を構成する一対の内面の両方に対をなして形成されているが、凹部は、一対の内面のうちいずれか一方の内面のみに形成されていてもよい。
（９）上記実施例では、保持溝の内面に導電路を係止させるための凹部が形成されているが、このような凹部を形成しない形態であってもよい。
（１０）上記実施例では、導電路が１本の電線で構成されているが、本発明は、導電路が複数本の電線を束ねたものである場合にも適用できる。
（１１）上記実施例では、ワイヤーハーネスを構成する３種類の電線が、全て２本ずつ設けられているが、ワイヤーハーネスを構成する各種類毎の電線の本数は、適宜に設定することができる。
（１２）上記実施例では、外径の異なる３種類の電線を同時に挿通孔に挿通させるようにしたが、挿通孔に挿通する電線の種類数（ワイヤーハーネスを構成する電線の種類数）は、２種類以下でもよく、４種類以上でもよい。
（１３）上記実施例では、フェライトコアが２つの半円弧形のコア構成体を合体させた形態であるが、本発明は、フェライトコアが非分割タイプの単一部品である場合にも適用できる。
（１４）上記実施例では、挿通孔が円形をなしているが、これに限らず、挿通孔は非円形であってもよい。
（１５）上記実施例では、フェライトコアが円環形であり、フェライトコアに形成されている挿通孔が１つだけであるが、本発明は、フェライトコアの外周形状が長円形又は楕円形であり、フェライトコアに複数の挿通孔が形成されている場合にも適用できる。この場合、各挿通孔内にノイズフィルタ用ホルダを収容することができる。
【符号の説明】
【００３１】
Ｆ…ノイズフィルタ
２０…フェライトコア
２２…挿通孔
３０…ホルダ（ノイズフィルタ用ホルダ）
３１…大径用保持溝（保持溝）
３２…小細径用保持溝（保持溝）
３５…大径用凹部（凹部）
３６…小径用凹部（凹部）
３７…細径用凹部（凹部）
４１…大径電線（導電路）
４２…小径電線（導電路）
４３…細径電線（導電路）
【図１】
2016201728.tif 000003
【図２】
2016201728.tif 000004
【図３】
2016201728.tif 000005